(57)【要約】      （修正有）【課題】防水性と、読書時における本開閉やページ捲りの簡易性との両立を図ることができる防水ブックカバーを提供する。【解決手段】防水ブックカバー１０は、本の表紙全体を被覆する構造を有し、防水素材で形成された矩形状のブックカバー本体１と、本の見開き面の全体と本の縁部とを被覆する矩形状の防水シート２とを備え、防水シート２の一辺は、ブックカバー本体１の一辺に一体的に連結されている。また、ブックカバー本体１には、本と接する面である内面部１１に、表紙全体のうち表表紙及び裏表紙のそれぞれの少なくとも一部を差し込み可能な構造を有する一対のポケット３が設けられている。【選択図】図１
0003210874.tif 000002
【実用新案登録請求の範囲】
【請求項１】
本の表紙全体を被覆する構造を有し、防水素材で形成された矩形状のブックカバー本体と、
本の見開き面の全体と本の縁部とを被覆する矩形状の防水シートと
を備え、
前記防水シートの一辺は、前記ブックカバー本体の一辺に一体的に連結されている
ことを特徴とする防水ブックカバー。
【請求項２】
前記ブックカバー本体には、本と接する面である内面部に、前記表紙全体のうち表表紙及び裏表紙のそれぞれの少なくとも一部を差し込み可能な構造を有する一対のポケットが設けられている
ことを特徴とする請求項１に記載の防水ブックカバー。
【請求項３】
前記ブックカバー本体には、本と接する面である内面部において前記防水シートと一体的に連結されている一辺側に、前記防水シートの一の長辺と前記ブックカバー本体とを一体的に固定する固定部が設けられている
ことを特徴とする請求項１又は２に記載の防水ブックカバー。
【請求項４】
前記ブックカバー本体には、前記固定部が設けられた一辺を除く残余の辺に沿って本体側マグネットが設けられ、
前記防水シートには、前記固定部において固定された一を除く残余の辺に沿ってシート側マグネットが設けられ、
前記防水シートの前記残余の辺は、前記シート側マグネットが前記本体側マグネットと引き合う磁力によって前記ブックカバー本体に着脱可能に連結されること
を特徴とする請求項３に記載の防水ブックカバー。
【考案の詳細な説明】
【技術分野】
【０００１】
本考案は、防水機能を有し、且つ本のページめくりが容易なブックカバーに関する。
【背景技術】
【０００２】
従来、一般的に使用されているブックカバーは単に本の表裏面を装飾用紙により覆うもので、水濡れを防止する効果は期待できない。そのため、水辺での使用や水濡れした物品と同時に持ち運ぶ事には適していない。こうした状況を鑑みて、防水機能を備えたブックカバー（防水ブックカバー）がある。（特許文献１）。
【先行技術文献】
【特許文献】
【０００３】
【特許文献１】実用新案登録第３１５４４１４号公報
【考案の概要】
【考案が解決しようとする課題】
【０００４】
しかしながら、従来の防水ブックカバーは、防水性の向上を図ることでカバーの構造が複雑になり、読書時におけるページ捲りや本の開閉といった動作が煩雑になる場合がある。また、一方で、ページ捲りや本の開閉動作の容易さを重視するとカバーの構造が簡素になり、防水性が低下する場合がある。このように、従来の防水ブックカバーでは、ページ捲りや本の開閉動作の容易さと防水性との両立が困難である。
【課題を解決するための手段】
【０００５】
上記課題を解決するために、本考案の一態様による防水ブックカバーは、本の表紙全体を被覆する構造を有し、防水素材で形成された矩形状のブックカバー本体と、本の見開き面の全体と本の縁部とを被覆する矩形状の防水シートとを備え、前記防水シートの一辺は、前記ブックカバー本体の一辺に一体的に連結されている。
【考案の効果】
【０００６】
本考案の目的は、読書時におけるページ捲りや本の開閉動作の容易さと防水性との両立を図ることができる防水ブックカバーを提供することにある。
【図面の簡単な説明】
【０００７】
【図１】本考案に係る防水ブックカバーの概略構成を示す斜視図である。
【図２】本考案に係る防水ブックカバーのブックカバー本体を本に装着した状態の一例を示す図である。
【図３】本考案に係る防水ブックカバーの使用例を示す図である。
【考案を実施するための形態】
【０００８】
以下、図１から図３を用いて、本考案の実施の形態（実施形態）について詳細に説明する。なお、本考案は、以下の実施の形態に限定されるものではなく、その要旨の範囲内で種々変形して実施することができる。すなわち、実施の形態の例に記載されている構成部品の寸法、材質、形状、その相対的配置等は特に記載がない限り、本考案の範囲を限定する趣旨ではなく、単なる説明例に過ぎない。また、使用する図面は、本実施の形態を説明するための一例であり、実際の大きさを表すものではない。各図面が示す部材の大きさや位置関係等は、説明を明確にするため誇張していることがある。なお、以下に説明する各図において、同一の構成を有する部分には同一の符号を付し、その繰り返しの説明は省略する。
【０００９】
図１は、本実施形態による防水ブックカバー１０の構成例を模式的に示す外観斜視図である。図１に示すように、防水ブックカバー１０は、ブックカバー本体１と、防水シート２とを備えている。ブックカバー本体１は、本の表紙全体（表表紙、背表紙及び裏表紙）を被覆する構造を有し、防水素材で形成されている。また、図１に示すようにブックカバー本体は、一般的な本の形状に合わせて例えば矩形状を有している。
【００１０】
ブックカバー本体１は、防水性を有する素材（防水素材）で形成されている。ここで、防水ブックカバーにおける防水とは、本が外部からの水滴や飛沫によって濡れないことを示す。ブックカバー本体１を形成する防水素材は、望ましくは水を積極的に弾く素材である。例えば、防水素材としては、ビニール等の軟性プラスチックがある。また、所定の素材にラミネートやコーティングによって表面にプラスチック加工を施し、これを防水素材として用いてもよい。なお、ここで例示した防水素材は、一例であって、本考案の防水ブックカバーに用いる防水素材はこれらに限られない。
【００１１】
防水シート２は、本の見開き面の全体と本の縁部とを被覆するシート状の部材であって、矩形状を有している。ここで、本の縁部とは、本の天、地、小口部分をいう。防水シート２は、ブックカバー本体１と同様に防水素材で形成されている。防水シート２は、本の見開き面を覆っても、見開き面の記載内容が判読可能、すなわち読書が可能である程度の透過性を有している。
【００１２】
また。防水シート２は、ブックカバー本体１に対して一体的に連結されている。より具体的には、図１に示すように、防水シート２の一辺は、ブックカバー本体１の一辺に一体的に連結されている。ブックカバー本体１には、本と接する面である内面部１１において防水シート２と一体的に連結されている一辺側に、防水シート２の一辺とブックカバー本体１とを一体的に固定する固定部４が設けられている。本実施形態による防水ブックカバー１０では、固定部４は内面部１１において、ブックカバー本体１の長辺の一方の縁部に設けられて、ブックカバー本体１と防水シート２を一体的に連結している。また、図４に示す固定部４は、例えば接着剤である。
【００１３】
なお、固定部４は、接着剤に限られず、例えばヒンジであってもよいし、リング式ファイルのようにブックカバー本体１の一辺と防水シート２の一辺に孔を設け、孔にリング状の留め具を貫通させることでブックカバー本体１の一辺と防水シート２の一辺とを連結してもよい。
【００１４】
また、ブックカバー本体１の内面部１１には、本の表紙全体のうち表表紙及び裏表紙のそれぞれの少なくとも一部を差し込み可能な構造を有する一対のポケット３（３ａ，３ｂ）が設けられている。ポケット３は、例えばシート状の部材で形成されており、ブックカバー本体１と同様に防水性を有する。ポケット３は、例えば矩形状のシート状部材を内面部１１に重ね、差込口となる一辺側を除く残余の辺の縁部を接着剤等により内面部１１に固定させて形成されている。
【００１５】
図２は、本αにブックカバー本体１を装着した装着態様の一例を示す図である。ここで、本αは例えば右綴じであるとする。ブックカバー本体１を本αに装着する際には、例えば防水ブックカバー１０の使用者は、本αの裏表紙をポケット３ａに差し込み、さらに本αの表表紙をポケット３ｂに差し込む。一対のポケット３（３ａ，３ｂ）に、本αの裏表紙及び表表紙のそれぞれを差し込むことで、ブックカバー本体１は、本αへの装着時における安定性が向上される。このため、読書中に本を傾けた場合にも、ブックカバー本体１が本αから外れにくくすることができる。なお、本αが左綴じであれば、ポケット３ａに表表紙が差し込まれ、ポケット３ｂに裏表紙が差し込まれる。
【００１６】
図３は、防水ブックカバー１０における防水シート２の本αへの装着態様の一例を示す図である。図２で示したように、本αにブックカバー本体１を装着すると、次いで、防水ブックカバー１０の使用者は、図３に示すように防水シート２の本と接する面である内面部２１が本αの見開き面α１に接するようにして、防水シート２で本αを覆う。防水シート２の内面部２１は、ブックカバー本体１の内面部１１と同じ面積を有している。このため、防水シート２は、ブックカバー本体１の内面部１１に配置された本αの見開き面α１の全体を覆うことができる。
【００１７】
また、図１から図３に示すように、ブックカバー本体１には、本体側マグネット５が設けられている。より具体的には、ブックカバー本体１には、内面部１１において、固定部４が設けられた一辺を除く残余の辺に沿って本体側マグネット５が設けられている。また、防水シート２の内面部２１には、固定部４において固定された一辺を除く残余の辺（以下、単に残余の辺と称する場合がある）に沿ってシート側マグネット６が設けられている。本体側マグネット５及びシート側マグネット６の形状は、シート状であってもよいし、棒状であってもよい。
【００１８】
防水シート２の残余の辺は、シート側マグネット６が本体側マグネット５と引き合う磁力によってブックカバー本体１に着脱可能に連結される。このため、防水シート２の本αへの装着時には、図３において矢印で示すように防水シート２を本αの見開き面α１に被せるだけの操作で、容易に防水シート２によって本αの見開き面α１及び縁部を覆い、水滴等による本の水濡れを防ぐことができる。
【００１９】
また、防水シート２の残余の辺がシート側マグネット６及び本体側マグネット５によってブックカバー本体１に連結されることで、ブックカバー本体１の内面部１１の全体が防水シート２によって覆われる。このため、ブックカバー本体１に装着された本αは、天、地及び小口部分が防水シート２によって覆われる。これにより、防水ブックカバー１０は、ブックカバー本体１の内面部１１及び防水シート２の内面部２１に水滴等が進入することを防いで防水性を向上させることができる。
【００２０】
また、本体側マグネット５とシート側マグネット６とが引き合う磁力は、例えばブックカバー本体１を装着した本αを傾けた際に、防水シート２の自重によってシート側マグネット６が本体側マグネット５から外れるのをを防止することが可能な程度の強さである。これにより、本実施形態による防水ブックカバー１０は、ブックカバー本体１に連結された防水シート２の残余の辺が使用者の意図に反してブックカバー本体１から外れて水滴等が内面部１１及び内面部１２に進入することを防止し、防水性を維持することができる。また、防水シート２の残余の辺をブックカバー本体１から剥がすときには、防水シート２の残余の辺がブックカバー本体１にから離れる方向に、本体側マグネット５とシート側マグネット６とが引き合う磁力よりもやや強い程度の力を手指によって加えるだけの容易な操作で、防水シート２の残余の辺をブックカバー本体１から離脱させることができる。
【００２１】
また、防水シート２は、本体側マグネット５とシート側マグネット６の磁力によってブックカバー本体１に連結されることで、読書の際に風等で本のページが捲られてしまうことを防止するページ押さえとしても機能する。
【００２２】
本実施形態による防水ブックカバー１０を装着した本の読書時には、本にブックカバー本体１を装着し、本の見開き面の全面に防水シート２を被せてシート側マグネット６と本体側マグネット５との位置を概ね合わせる簡易な操作で、ブックカバー本体１の内面部１１及び防水シート２の内面部２１の防水性が保たれる。また、本のページを捲る際には、本体側マグネット５からシート側マグネット６を剥がし、防水シート２を本の見開き面から避けてページを捲り、再度防水シート２を本の見開き面に被せて本体側マグネット５とシート側マグネット６との位置を合わせる。本実施形態による防水ブックカバー１０において、防水シート２の内面部２１とブックカバー本体１の内面部１１とは同じ面積であり、且つシート側マグネット６が設けられた各辺と本体側マグネットが設けられた各辺とは、対応する辺同士で長さがそれぞれ同一である。このため、防水ブックカバー１０は、本体側マグネット５とシート側マグネット６との位置合わせを容易に行うことができる。
【００２３】
以上説明したように、本実施形態による防水ブックカバー１０は、本の表紙全面を被覆可能な防水素材のブックカバー本体１と、本の見開き面の全面と本の縁部（天、地、及び小口）を被覆可能な矩形状の防水シート２と、を備えている。これにより、防水ブックカバー１０は、防水性が保持される。また、防水シート２は、ブックカバー本体１に対して一体的に連結されている。これにより、読書時に防水シート２の着脱を行う際に、防水シート２がブックカバー本体１から外れてしまうことを気にする必要がなく、ページ捲りや本の開閉動作が容易である。さらに、防水ブックカバー１０は、ブックカバー本体１及び防水シート２の縁部のそれぞれにマグネットが設けられ、マグネット同士の引き合う磁力で防水シート２がブックカバー本体１に着脱可能に連結されている。これにより、例えば読書時のページ捲りの際に、ブックカバー本体１に対する防水シート２の着脱操作がワンタッチ操作により容易に行うことができる。このように、本実施形態による防水ブックカバー１０は、防水性と、読書時における本開閉やページ捲りの容易さとを両立させることができる。
【符号の説明】
【００２４】
１  ブックカバー本体
２  防水シート
３、３ａ、３ｂ  ポケット
４  固定部
５  本体側マグネット
６  シート側マグネット
１０  防水ブックカバー
１１、２１  内面部
α  本
α１  見開き面
【図１】
0003210874.tif 000003
【図２】
0003210874.tif 000004
【図３】
0003210874.tif 000005